(57)【要約】【課題】  冷媒配管が設けられる壁穴を通して換気する換気装置を具備した空気調和機において、屋外へ延出される配管類の配管作業を容易にすると共に、屋外側の壁面の外観を良くするようにした空気調和機を提供する。【解決手段】  室内機と室外機とを壁穴を通して冷媒配管で接続するようにした空気調和機において、室外ファンと、この室外ファンを収納するファンケースと、壁穴を通して家屋の内外を連通する給排気路とを有する換気装置を備え、前記換気装置の屋外部分を覆い、かつ前記冷媒配管を挿通する保護カバー２２を設け、この保護カバー２２は建物の壁面に取り付けられ後板２５と、この後板２５に取り付けられファンケース及び冷媒配管を覆う外カバー２７とを有し、この外カバー２７には冷媒配管を取り出すための予備取出口部６１、６２、６３を設けた。【選択図】      図３
2005083703.tif 000002
【特許請求の範囲】
【請求項１】
室内に設置される室内機と、屋外に設置される室外機とを壁穴を通して冷媒配管で接続するようにした空気調和機において、
屋外に設置される換気用の室外ファンと、この室外ファンを収納するファンケースと、このファンケースに連通し前記壁穴を通して家屋の内外を連通する給排気路とを有する換気装置を備え、前記換気装置の屋外部分を覆い、かつ前記冷媒配管を挿通する保護カバーを設け、この保護カバーは建物の壁面に取り付けられ後板と、この後板に取り付けられファンケース及び冷媒配管を覆う外カバーとを有し、この外カバーには下方向に開口する配管取出口を備えると共に、冷媒配管を取り出すための予備取出口部を設けたことを特徴とする空気調和機。
【請求項２】
前記予備取出口部は、外カバーの複数ヵ所に設けられることを特徴とする請求項１に記載の空気調和機。
【請求項３】
前記予備取出口部には、外カバーの内側で、かつ予備取出口部の周囲に沿ってリブを設けたことを特徴とする請求項１または２に記載の空気調和機。
【請求項４】
前記予備取出口部には、外カバーの内側で、かつ予備取出口部の周囲に沿って凹部を設けたことを特徴とする請求項１または２に記載の空気調和機。
【発明の詳細な説明】
【技術分野】
【０００１】
本発明は、室内空気を換気する換気装置を具備させて、より快適な室内環境を提供することができるように成した空気調和機に関する。
【背景技術】
【０００２】
今日、室内の壁に分離型空気調和機の室内機を配し、室内空気を室内機内部の循環ファンにて室内機に吸い込み、室内機内部の熱交換器により熱交換させて発生した冷気又は暖気を室内に供給して室内を快適な温度環境に維持することは至極一般的となっている。しかし、冷房、暖房効果を良くするため、あまり室内の換気を行わないで空調されている。従って室内が長時間密閉的状態にあると室内空気が汚れるため、定期的に室内を開放し室内空気を逃がし、外気を取り入れ換気をする必要がある。
【０００３】
このため、従来から空気調和機に換気装置を備えるものが提案されている。例えば、建物の壁に、空気調和機の室内機と室外機間の配管が通過する空間および換気通路を有する配管穴を形成し、換気用の室外ファン及びこれを駆動するためのファンモータを屋外でかつ換気通路の出口近傍に設けた換気装置（例えば、特許文献１参照）や、建物の壁に、空気調和機の室内機と室外機間の配管が通過する空間及び排気用・給気用換気通路を有する配管穴を形成し、ファンモーターの左右両軸に設けたシロッコファンのうち一方が排気用換気通路内に収容され、他方のシロッコファンが給気用換気通路に収容された送風機を内装した換気ユニットを室内機の近傍に設け、片方のシロッコファンの回転により室内空気を排気用換気通路から屋外へ排気し、同時に他方のシロッコファンの回転により外気を給気用換気通路から室内へ取り入れて換気を行うよう成した換気装置（例えば、特許文献２参照）である。
【特許文献１】特開２００１−２７４３３
【特許文献２】特許第２６２９６６５号公報
【発明の開示】
【発明が解決しようとする課題】
【０００４】
ところで、上述したような換気装置を備えた空気調和機では、屋外側の壁穴付近に換気用ファンが設けられ、また壁穴を通して、室内機・室外機間に接続される冷媒配管、室内機の電気部品を作動するための電源コード、室内機・室外機間の信号の送受信を行う制御系の伝送ライン、及びドレン水を屋外へ排出するためのドレンホース等の配管類が延出される。これら配管類は壁穴から屋外へ延出された後、下方向に配管されるのが一般的である。そのため、例えば配管類を右方向へ配管する場合にはいったん下方向へ延ばした後、右方向へ配管することになる。このため、配管類の曲げ加工が多くなり配管作業が煩雑になる上、壁面の外観を損うおそれがあった。
【０００５】
本発明は、上記の事情に鑑みなされたものであり、冷媒配管が設けられる壁穴を通して換気する換気装置を具備した空気調和機において、屋外へ延出される配管類の設置作業を容易にすると共に、屋外側の壁面の外観を良くするようにした空気調和機を提供することを目的とする。
【課題を解決するための手段】
【０００６】
上記課題を解決するために、請求項１に記載の発明は、室内に設置される室内機と、屋外に設置される室外機とを壁穴を通して冷媒配管で接続するようにした空気調和機において、屋外に設置される換気用の室外ファンと、この室外ファンを収納するファンケースと、このファンケースに連通し前記壁穴を通して家屋の内外を連通する給排気路とを有する換気装置を備え、前記換気装置の屋外部分を覆い、かつ前記冷媒配管を挿通する保護カバーを設け、この保護カバーは建物の壁面に取り付けられ後板と、この後板に取り付けられファンケース及び冷媒配管を覆う外カバーとを有し、この外カバーには下方向に開口する配管取出口を備えると共に、冷媒配管を取り出すための予備取出口部を設けた。
【０００７】
請求項２に記載の発明は、請求項１に記載の空気調和機において、前記予備取出口部は、外カバーの複数ヵ所に設けられることを特徴とする。
【０００８】
請求項３に記載の発明は、請求項１または２に記載の空気調和機において、前記予備取出口部には、外カバーの内側で、かつ予備取出口部の周囲に沿ってリブを設けたことを特徴とする。
【０００９】
請求項４に記載の発明は、請求項１または２に記載の空気調和機において、前記予備取出口部には、外カバーの内側で、かつ予備取出口部の周囲に沿って凹部を設けたことを特徴とする。
【発明の効果】
【００１０】
本発明の空気調和機は、換気装置を具備しこの換気装置の屋外側部分（室外ファン及びファンケース等）を覆う保護カバーを設け、この保護カバーの外カバーには、通常用いる下方向の配管取出口の他に、上及び左右方向へ冷媒配管を取り出すための予備取出口部を設けている。これら予備取出口部のうちのいずれかを利用することにより、冷媒配管の屋外取出方向を選択できるので、配管の設置作業を容易にできると共に、建物の壁面の外観を見栄え良くすることができる。
【実施例１】
【００１１】
以下、本発明の一実施例を図面に基づき説明する。図１は一部を省略（室内機の側面、建物の壁及び換気装置の外カバー）して示した空気調和機の斜視図、図２は外カバーを外して示した保護カバーの斜視図、図３は外カバーを取り付けて示した保護カバーの斜視図、図４は壁穴を通る配管類を示した断面図である。
【００１２】
図１において、室内機１は、吸込パネル２を有した前部ケース３と背面側の後部ケース４から成る本体ケース５を有し、該本体ケース５の下端部には吹出口（図示せず）が設けられると共に、この本体ケース５内に室内の空気を加熱／冷却する熱交換器６が配されている。熱交換器６は冷媒がそのフィンと直交しかつ蛇行させて配設した冷媒管７を通過することにより、冷房／除湿運転時に冷却器として機能し、暖房運転時には加熱器として機能するものである。
【００１３】
また本体ケース５の内部には、熱交換器６で取り囲まれるように循環ファン８が設けられ、該循環ファン８により室内の空気が吸込パネル２から吸い込まれ、熱交換器６で加熱／冷却されて冷風／温風が吹出口から再び室内に吹き出されて循環するものである。この他に、滴下するドレン水を溜め排出するために熱交換器６の下端部に設けられたドレンパン９や、熱交換器６と吸込パネル２との間に配されるエアフィルター（図示せず）、また吹出口に設けられた吹出方向を変更させる風向器（図示せず）などの構成部品を有する。さらに室外機（図示せず）の圧縮機の運転制御、前記循環ファン８のファンモータの駆動制御等を行うための電装部１１等が、本体ケース５の片側部に区画して内蔵されている。
【００１４】
ここで、室内機１と室外機（図示せず）とはユニット間に配設された冷媒配管で接続され、室外機に設けられた冷媒圧縮機、室外熱交換器及び減圧装置と、室内機１の熱交換器６との間で冷媒が循環する冷凍サイクルが形成されている。冷媒配管は熱交換器６に接続され本体ケース５の右部から、後方に設けられる壁穴を通して屋外へと配管されている。また、図４に示すように、冷媒配管３１、３２が配管されている箇所には、これら冷媒配管３１、３２の他に、循環ファン８や風向器等を作動するための電源コード３３や、冷媒の温度・圧力あるいは室内温度等を検出し冷媒圧縮機の運転などをコントロールするための制御系の伝送ライン３４、さらに前記ドレンパン９の排出口に接続されるドレンホース３５等の配管類１８が一緒に配設されている。
【００１５】
そして、空調運転時に、室外機の冷媒圧縮機および室内機１の循環ファン８が運転され、循環ファン８の回転により室内空気が吸込パネル２より室内機１に吸い込まれ熱交換器６で熱交換されて、冷気／暖気が下部の吹出口より室内に吹き出されて冷房／暖房の空調が行われる。
【００１６】
次に、換気装置について説明する。空気調和機に具備される換気装置は、室内機１の内部に排気用の室内ファンを設け、屋外に給気用の室外ファンを設けてそのいずれか一方の駆動にて、共用の給排気管を通じて給気又は排気を行い換気させるものである。
【００１７】
図１において、１２は、室内空気を室外（屋外）に排気して換気するための室内ファンで、室内機１内に収容されている。具体的には例えば熱交換器６の側面近傍等に配置されている。この室内ファン１２としてはシロッコファンを使用している。このシロッコファンとファン駆動用モータとが厚みの薄い略円筒形状の室内ファンケース１３Ａ内に収容される構造である。シロッコファンが回転すると、室内ファンケース１３Ａの片面側に開けた円形の吸込口１４Ａより室内空気が吸い込まれ、その後、室内ファンケース１３Ａの一端部に設けた吹出部１５ａより吹き出される。
【００１８】
一方２０は、屋外空気を室内に給気して換気するための室外ファンで、屋外に臨む位置に設けられている。すなわち室内機１を取り付けている室内の壁（図示せず）の外に配置されている。この室外ファン２０にもシロッコファンを使用しており、先の室内ファン１２と同様に、シロッコファンが回転すると、室外ファンケース１３Ｂの片面側に開けた円形の吸込口１４Ｂより屋外空気が吸い込まれ、その後、室外ファンケース１３Ｂの一端部に設けた吹出部１５ｂより吹き出される。
【００１９】
１６は室内ファン１２により吸い込んだ室内空気を屋外に排気させ、また室外ファン２０にて吸い込んだ屋外空気を室内に給気するために設けられた１本の共用給排気管で、室内の壁を挿通して家屋の内外に存在するように配されている。この給排気管１６により家屋の内外を連通する給排気路が形成される。前記室内ファン１２と室外ファン２０は、この１本の共用給排気管１６を介して繋がるようにその両端部に設けられている。すなわち給排気管１６の室内側開口端１７ａに繋がるように室内ファン１２が設置され、また同管１６の室外側開口端１７ｂに繋がるように室外ファン２０が設置されている。
【００２０】
前記室外ファン２０は前記給排気管１６の室外側開口端１７ｂにその吹出部１５が接続され、ぶら下がった格好で取り付けられている。また室外ファンケース１３Ｂの左上部と右下部とには、図２に示すように、この室外ファンケース１３Ｂを固定するためのねじ挿通孔２１、２１が形成されている。
【００２１】
前記給排気管１６は室内機１側からその背部へと出された後、室内機１の背面側に沿って出し口とは反対側へ向かって水平に延ばされ、その先端で直角に曲げられて屋外へと延出されている。
【００２２】
前記室内ファン１２と室外ファン２０はどちらか一方を駆動するものであり、室内ファン１２を単独で駆動したときには、室内ファン１２により室内空気がその吸込口１４Ａから吸い込まれ、給排気管１６を経て室外ファン２０の吸込口１４Ｂを吹出部として屋外に排気されることにより、換気が行われる。一方室外ファン２０を単独で駆動したときは、室外ファン２０により屋外空気がその吸込口１４Ｂから吸い込まれ給排気管１６を通じて室内ファンの吸込口１４Ａを吹出部として室内に吹き出されることにより、換気が行われる。このように室内ファンケース１３Ａと室外ファンケース１３Ｂと両端部が繋がって設けられた１本の共用給排気管１６とにより換気装置が構成されている。
【００２３】
次に、屋外側に配設される配管類と、換気装置の屋外側部分を覆う保護カバーについて説明する。
【００２４】
図２、図３において、保護カバー２２は、壁穴（図示せず）を設けた壁面に取り付けられる後板２５と、保護カバー２２の内部を仕切り室外ファンケース１３Ｂを固定する仕切台２６と、保護カバー２２の外側を覆う外カバー２７とを有し、換気装置の屋外側部分及び配管類１８の壁出口部分を覆っている。
【００２５】
前記後板２５は上部が円形で下部が角形をしており、外周にフランジ４１とこのフランジ４１の内側に逆Ｕ字形の縦壁４２とが設けられている。フランジ４１には壁面取付用の５つのねじ孔４３、４３・・が設けられ、上部の縦壁４２内側には配管類１８及び給排気管１６を挿通する略円形の挿通孔４４が設けられている。縦壁４２の前端部には、仕切台２６を固定する６つの鉤形固定部４５、４５・・が設けられている。また縦壁４２の内側に接して外カバー固定用の４つのボス４６、４６・・が設けられそれぞれにねじ孔ｃ、ｃ・・が設けられている。
【００２６】
前記仕切台２６は前面板４７と左右側板４８、４８とを有し、上から見てコの字形状をしており、コの字形状の内側に配管類１８を通すようになっている。前面板４７の下部には角筒状の換気用開口部５１が設けられ、この開口部５１には横断面を覆うフィルター５２とシャッター（図示せず）とが設けられており、フィルター５２は網目構造で、吸い込まれる外気中の塵埃や異物を捕らえ内部に入らないような役目をしている。シャッターはフィルター５２の下方に複数の水平板を配置して、保護カバー２２内部を雨風や塵埃から保護し、また悪戯などで内部が損傷されないようにしている。
【００２７】
前記前面板４７の左上及び右下には、室外ファンケース１３Ｂのねじ挿通孔２１、２１に対応するねじ孔５３、５３が設けられており、取付ねじをねじ挿通孔２１、２１を通してねじ孔５１、５１へ締め付けることにより、室外ファンケース１３Ｂを仕切台２６に固定することができる。また左右側板４８、４８の後端部には、後板２５に取り付けるための左右それぞれ３つずつの突起片５４、５４・・が設けられ、前記後板２５の鉤形固定部４５、４５・・へ係合される。
【００２８】
前記外カバー２７は、後方と下方に開口する箱形をしており、挿通孔４４の上及び左右方向に相当する３ヵ所には配管を屋外へ引き出すための予備取出口部６１、６２、６３が設けられている。これら予備取出口部６１、６２、６３には外カバー２７の内面に略Ｕ字形のリブ６４を設けており、外側から見えないようになっている。このリブ６４の内側を金のこ等の工具を用いて切断加工することにより配管取出口が形成される。リブ６４があることで配管取出口の周縁が補強される。また外カバー２７の左右両端には、後板２５への取付用ねじ孔６５、６５・・が設けられ、これらねじ孔６５、６５・・に取付ねじを通して前記後板２５のボスねじ孔ｃ、ｃ・・へ締め付けることにより、外カバー２７が後板２５へ固定される。
【００２９】
このように構成された保護カバー２２において、配管類１８を壁穴の右方向へ配管する場合の保護カバーの取付について説明する。
【００３０】
まず、給排気管１６及び配管類１８が壁穴を通して屋外へ引き出せる状態にしておく。給排気管１６を上に配管類１８を下に配置して挿通孔３５へ挿通する。後板２５を取付ねじ５本にて壁面へ固定する。
【００３１】
次に配管類１８を右方向へ延設し、仕切台２６を後板２５に固定する。次に室外ファンケース１３Ｂの吹出部１５ｂを給排気管１６の室外開口端１７ｂへ連結し、ねじ挿通孔２１、２１に取付ねじを挿通して室外ファンケース１３Ｂを仕切台２６へ固定する。
【００３２】
次に外カバー２７右側の予備取出口部６３のリブ６４内側を金のこで切断し開口を作る。この開口が右配管取出口になる。前方から外カバー２７を被せて配管右取出口に配管類１８を挿入する。外カバー２７を取付ねじにて後板２５に固定し、右配管取出口の周縁部と配管類１８との間にできた隙間をパテで塞ぐ。これにより保護カバー２２が壁面に固定され保護カバー２２の取付作業が終了する。
【００３３】
また、配管類１８を壁穴から屋外の左方向へ配管する場合には、左の予備取出口部６１を切断し左配管取出口を作り、また上方向へ配管する場合には上の予備取出口部６２を切断し上配管取出口を作る。この場合、ドレンホース３５は、他の配管類とは別に後板２５と仕切台２６との間に配管するようにしても良い。
【００３４】
このように、換気装置を具備しこの換気装置の屋外側部分に保護カバー２２を被せて取り付ける空気調和機において、保護カバー２２に複数の予備取出口部６１、６２、６３を設けたことにより、配管類１８の屋外への取出方向を選択して配管できるので、室内機と室外機間の配管類１８を遠回りすることなく配管でき配管作業を容易にすると共に、建物の壁面外観を見栄え良くすることができる。
【００３５】
以上、実施例に基づいて本発明を説明したが、本発明は、これに限定されるものではなく、要旨を逸脱しない範囲内で変形可能である。
【００３６】
本実施例の保護カバー２２は、外カバー２７内側に複数の予備取出口部６１、６２、６３を設け、これら予備取出口部６１、６２、６３の周囲位置にリブ６４を設けているが、リブ６４の代わりに凹部や、刻印・ラベル等で表示しても良く、凹部を設けた場合、配管取出口を作るときの切断作業を容易にすることができる。
【００３７】
また、本実施例では予備取出口部６１、６２、６３は、挿通孔４４に対して上及び左右方向へ設けているが、この他に斜め上方向や斜め下方向へも設けるようにしても良い。
【図面の簡単な説明】
【００３８】
【図１】本発明の一実施形態における一部を省略して示した空気調和機の斜視図である。
【図２】図２は外カバーを外して示した保護カバーの斜視図である。
【図３】外カバーを取り付けて示した保護カバーの斜視図である。
【図４】配管類の断面図である。
【符号の説明】
【００３９】
１  室内機
６  熱交換器
９  ドレンパン
１２  室内ファン
１３Ｂ  室外ファンケース
１４Ｂ  吸込口
１５ｂ  吹出部
１６  給排気管
１７ａ  室内側開口端
１８  配管類
２０  室外ファン
２２  保護カバー
２５  後板
２６  仕切台
２７  外カバー
３１、３２  冷媒配管
３５  ドレンホース
４１  フランジ
４２  縦壁
４４  挿通孔
４５  鉤形固定部
４６  ボス
５１  換気用開口部
６１、６２、６３  予備取出口部
６４  リブ
６５  ねじ孔
ｃ
【図１】
2005083703.tif 000003
【図２】
2005083703.tif 000004
【図３】
2005083703.tif 000005
【図４】
2005083703.tif 000006